(57)【要約】【課題】低コストで作製可能であって、光コネクタを容易に分解することができる光コネクタ用分解治具および当該光コネクタ用分解治具により分解可能な光コネクタを提供する。【解決手段】光コネクタ用分解治具１００は、コネクタ受け部１１０と、コネクタ受け部１１０との間で光コネクタを挟み込むための蓋部１２０とを備えている。コネクタ受け部１１０は、光コネクタ用ハウジングが載置される第一の底面部１１１を有し、第一の底面部１１１において蓋部１２０と対向する面に、光コネクタのインナーハウジングに設けられた開口部の一方に係合可能な第二の凸部１１３が設けられ、蓋部１２０においてコネクタ受け部１１０と対向する面に、インナーハウジングの開口部の他方に係合可能な第三の凸部１２３が設けられている。コネクタ受け部１１０と蓋部１２０とは、第二の凸部１１３と第三の凸部１２３とが対向すべく折りたたみ可能に結合されている。【選択図】図３
2017116813.tif 000002
【特許請求の範囲】
【請求項１】
光ファイバを保持したフェルールと、前記光ファイバが挿入されるとともに前記フェルールの後端側に配置されたリアハウジングと、前記フェルールを収容し前記リアハウジングと係合可能なインナーハウジングとを備えた光コネクタを分解するための光コネクタ用分解治具において、前記光コネクタは、前記リアハウジングの対向する２つの外面にそれぞれ設けられた第一の凸部と前記インナーハウジングの対向する２つの内面にそれぞれ設けられた開口部とが脱着可能に係合するものであって、
前記光コネクタ用分解治具は、コネクタ受け部と、前記コネクタ受け部との間で前記光コネクタを挟み込むための蓋部とを備え、
前記コネクタ受け部は、前記光コネクタが載置される第一の底面部を有し、
前記第一の底面部において前記蓋部と対向する面に、前記開口部の一方に係合可能な第二の凸部が設けられ、
前記蓋部において前記コネクタ受け部と対向する面に、前記開口部の他方に係合可能な第三の凸部が設けられ、
前記コネクタ受け部と前記蓋部とは、前記第二の凸部と前記第三の凸部とが対向すべく折りたたみ可能に結合されている、光コネクタ用分解治具。
【請求項２】
前記コネクタ受け部と前記蓋部とは、紐状部材で結合されている、請求項１に記載の光コネクタ用分解治具。
【請求項３】
前記コネクタ受け部は、前記第一の底面部から立ち上がる第一の側面部を有し、
前記光コネクタ用分解治具の折りたたみ時には前記第一の側面部と前記蓋部とが結合されている、請求項１または請求項２に記載の光コネクタ用分解治具。
【請求項４】
前記蓋部は、前記第三の凸部が設けられる第二の底面部と、前記第二の底面部から立ち上がる第二の側面部とを備え、
前記第二の側面部は、前記コネクタ受け部の前記第一の側面部と係合可能である、請求項３に記載の光コネクタ用分解治具。
【請求項５】
前記第二の側面部は、前記第二の底面部の対向する２つの周縁部から立ち上がる一対のものであって、
前記第二の底面部において前記第三の凸部が設けられている面には、前記面から遠ざかるにつれて各第二の側面部に向けて徐々にその幅が狭くなる一対の斜面部が設けられている、請求項４に記載の光コネクタ用分解治具。
【請求項６】
光ファイバを保持したフェルールと、
前記光ファイバが挿入されるとともに当該フェルールの後端側に配置されたリアハウジングと、
前記フェルールを収容し前記リアハウジングと係合可能なインナーハウジングと、
前記リアハウジングおよび前記インナーハウジングを収容するアウターハウジングと、を備えた光コネクタであって、
前記リアハウジングの対向する２つの外面には第一の凸部がそれぞれ設けられ、
前記インナーハウジングの対向する２つの内面には、前記第一の凸部と脱着可能に係合される開口部がそれぞれ設けられ、
前記光コネクタの組立時には、前記第一の凸部および前記開口部が前記アウターハウジングから露出されている、光コネクタ。
【発明の詳細な説明】
【技術分野】
【０００１】
本発明は、光コネクタを分解する際に用いられる光コネクタ用分解治具および当該光コネクタ用分解治具により分解可能な光コネクタに関する。
【背景技術】
【０００２】
従来、光伝送装置などの光ファイバ入出力部において、光ファイバケーブルの接続や切り離しを容易化できる一括接続可能な光ファイバコネクタ（以下、光コネクタ）が開発され、実用化されている。例えば、多心光ファイバを保持・固定するＭＴ(Mechanically Transferable)フェルールを備え、スライドロック機構により光アダプタに着脱可能とされた光コネクタ（いわゆるＭＰＯ（Multiple fiber Push On）コネクタ）が知られている。
【０００３】
このような光コネクタにおいて、フェルールの先端面（特に光ファイバ端面が配置された光接続部）に傷がついていた場合には、ハウジングからフェルールを取り外して光接続部を再研磨するために、フェルールとハウジングとの係止状態を解除できる構造であることが好ましい。また、特許文献１に記載のように、光コネクタには、極性の識別および誤嵌合防止のための極性キーが設けられており、極性を変更するためにフェルールの天地の向きを変えてハウジングに再保持させたいという要求もある。
【０００４】
特許文献２には、光コネクタを挿入可能なコネクタ収容部を有し、当該コネクタ収容部に光コネクタを挿入して光コネクタの貫通穴にピンを挿入することで、光コネクタハウジングとストッパとの係止状態を解除する光コネクタ用フェルール脱着治具が開示されている。
また、特許文献３、４には、分解可能な光コネクタおよび当該光コネクタを分解するための分解治具が開示されており、特許文献５には現場組立型コネクタ用のクサビおよび当該クサビの挿入解除方法が開示されている。
【先行技術文献】
【特許文献】
【０００５】
【特許文献１】特表２０１３−５４０２８９号公報
【特許文献２】特開２０１２−１８２８４号公報
【特許文献３】特開２００５−２９２６４３号公報
【特許文献４】特開２００９−１１５８６３号公報
【特許文献５】特開２００７−１２１７９４号公報
【発明の概要】
【発明が解決しようとする課題】
【０００６】
特許文献２〜４で開示された治具は、ピン移動規制部材や光コネクタ受けスライド機構などを備えたものであるため、その構造が複雑であって作製にコストがかかる。また、特許文献５に開示されたコネクタ用クサビは、現場組立型の光コネクタにおいて、フェルール収容部に形成される溝を押し広げて当該溝から光ファイバ心線を挿入するための治具であって、光コネクタを分解するためのものではない。
【０００７】
本発明は、低コストで作製可能であって、光コネクタを容易に分解することができる光コネクタ用分解治具および当該光コネクタ用分解治具により分解可能な光コネクタを提供することを目的とする。
【課題を解決するための手段】
【０００８】
上記の目的を達成するために、本発明の光コネクタ用分解治具は、
光ファイバを保持したフェルールと、前記光ファイバが挿入されるとともに前記フェルールの後端側に配置されたリアハウジングと、前記フェルールを収容し前記リアハウジングと係合可能なインナーハウジングとを備えた光コネクタを分解するための光コネクタ用分解治具において、前記光コネクタは、前記リアハウジングの対向する２つの外面にそれぞれ設けられた第一の凸部と前記インナーハウジングの対向する２つの内面にそれぞれ設けられた開口部とが脱着可能に係合するものであって、
前記光コネクタ用分解治具は、コネクタ受け部と、前記コネクタ受け部との間で前記光コネクタを挟み込むための蓋部とを備え、
前記コネクタ受け部は、前記光コネクタが載置される第一の底面部を有し、
前記第一の底面部において前記蓋部と対向する面に、前記開口部の一方に係合可能な第二の凸部が設けられ、
前記蓋部において前記コネクタ受け部と対向する面に、前記開口部の他方に係合可能な第三の凸部が設けられ、
前記コネクタ受け部と前記蓋部とは、前記第二の凸部と前記第三の凸部とが対向すべく折りたたみ可能に結合されている。
【０００９】
また、上記の目的を達成するために、本発明の光コネクタは、
光ファイバを保持したフェルールと、
前記光ファイバが挿入されるとともに当該フェルールの後端側に配置されたリアハウジングと、
前記フェルールを収容し前記リアハウジングと係合可能なインナーハウジングと、
前記リアハウジングおよび前記インナーハウジングを収容するアウターハウジングと、を備えた光コネクタであって、
前記リアハウジングの対向する２つの外面には第一の凸部がそれぞれ設けられ、
前記インナーハウジングの対向する２つの内面には、前記第一の凸部と脱着可能に係合される開口部がそれぞれ設けられ、
前記光コネクタの組立時には、前記第一の凸部および前記開口部が前記アウターハウジングから露出されている。
【発明の効果】
【００１０】
本発明によれば、低コストで作製可能であって、光コネクタを容易に分解することができる光コネクタ用分解治具および当該光コネクタ用分解治具により分解可能な光コネクタを提供することができる。
【図面の簡単な説明】
【００１１】
【図１】（ａ）本発明に係る光コネクタ用分解治具によって分解可能な光コネクタの斜視図であり、（ｂ）は当該光コネクタの上面図である。
【図２】図１の光コネクタのＩＩ−ＩＩ線断面図である。
【図３】本実施形態に係る光コネクタ用分解治具を示す斜視図である。
【図４】図３の光コネクタ用分解治具の上面図である。
【図５】図３の光コネクタ用分解治具を構成するコネクタ受け部の側面図である。
【図６】（ａ）、（ｂ）は、光コネクタ用分解治具を用いて、光コネクタからフェルール等を取り外す工程を示す図である。
【図７】光コネクタ用分解治具に光コネクタが収容された状態の上面図である。
【図８】（ａ）はコネクタ受け部に光コネクタが収容され、蓋部により挟み込まれる前の状態を示す図７のＡ−Ａ線断面図であり、（ｂ）は（ａ）の状態を示す図７のＢ−Ｂ線断面図である。
【図９】（ａ）はコネクタ受け部に光コネクタが収容され、蓋部により挟み込まれた状態を示す図７のＡ−Ａ線断面図であり、（ｂ）は（ａ）の状態を示す図７のＢ−Ｂ線断面図である。
【図１０】本発明に係る光コネクタの変形例を示す斜視図である。
【発明を実施するための形態】
【００１２】
[本願発明の実施形態の説明]
最初に本願発明の実施形態の内容を列記して説明する。
本願発明の実施形態に係る光コネクタ用分解治具は、
（１）光ファイバを保持したフェルールと、前記光ファイバが挿入されるとともに前記フェルールの後端側に配置されたリアハウジングと、前記フェルールを収容し前記リアハウジングと係合可能なインナーハウジングとを備えた光コネクタを分解するための光コネクタ用分解治具において、前記光コネクタは、前記リアハウジングの対向する２つの外面にそれぞれ設けられた第一の凸部と前記インナーハウジングの対向する２つの内面にそれぞれ設けられた開口部とが脱着可能に係合するものであって、
前記光コネクタ用分解治具は、コネクタ受け部と、前記コネクタ受け部との間で前記光コネクタを挟み込むための蓋部とを備え、
前記コネクタ受け部は、前記光コネクタが載置される第一の底面部を有し、
前記第一の底面部において前記蓋部と対向する面に、前記開口部の一方に係合可能な第二の凸部が設けられ、
前記蓋部において前記コネクタ受け部と対向する面に、前記開口部の他方に係合可能な第三の凸部が設けられ、
前記コネクタ受け部と前記蓋部とは、前記第二の凸部と前記第三の凸部とが対向すべく折りたたみ可能に結合されている。
この構成によれば、低コストで作製可能であって、光コネクタを容易に分解することができる、光コネクタ用分解治具を提供することができる。
【００１３】
（２）前記コネクタ受け部と前記蓋部とは、紐状部材で結合されていることが好ましい。
この構成によれば、コネクタ受け部と蓋部とを容易に折りたたむことができ、取扱い性に優れている。
【００１４】
（３）前記コネクタ受け部は、前記第一の底面部から立ち上がる第一の側面部を有し、
前記光コネクタ用分解治具の折りたたみ時には前記第一の側面部と前記蓋部とが結合されていることが好ましい。
（４）前記蓋部は、前記第三の凸部が設けられる第二の底面部と、前記第二の底面部から立ち上がる第二の側面部とを備え、
前記第二の側面部は、前記コネクタ受け部の前記第一の側面部と係合可能であることが好ましい。
これらの構成によれば、コネクタ受け部に対する蓋部の位置決めを容易に行うことができる。
【００１５】
（５）前記第二の側面部は、前記第二の底面部の対向する２つの周縁部から立ち上がる一対のものであって、
前記第二の底面部において前記第三の凸部が設けられている面には、前記面から遠ざかるにつれて各第二の側面部に向けて徐々にその幅が狭くなる一対の斜面部が設けられていることが好ましい。
この構成によれば、光コネクタをコネクタ受け部と蓋部とで挟み込む際に、光コネクタ用分解治具に対する光コネクタの位置決めを容易に行うことができる。
【００１６】
また、本願発明の実施形態に係る光コネクタは、
（６）光ファイバを保持したフェルールと、
前記光ファイバが挿入されるとともに当該フェルールの後端側に配置されたリアハウジングと、
前記フェルールを収容し前記リアハウジングと係合可能なインナーハウジングと、
前記リアハウジングおよび前記インナーハウジングを収容するアウターハウジングと、を備えた光コネクタであって、
前記リアハウジングの対向する２つの外面には第一の凸部がそれぞれ設けられ、
前記インナーハウジングの対向する２つの内面には、前記第一の凸部と脱着可能に係合される開口部がそれぞれ設けられ、
前記光コネクタの組立時には、前記第一の凸部および前記開口部が前記アウターハウジングから露出されている。
この構成によれば、低コストで作製可能な光コネクタ用分解治具により容易に分解可能な光コネクタを提供することができる。
【００１７】
[本願発明の実施形態の詳細]
以下、添付図面を参照して、本発明の好適な実施形態について詳細に説明する。なお、図面の説明において同一又は相当要素には同一符号を付し、重複する説明は省略する。
【００１８】
図１は、本実施形態に係る光コネクタ１を示す斜視図である。図２は、光コネクタ１の縦断面図である（ファイバコードは不図示）。光コネクタ１は、外部の光アダプタに接続されるコネクタであって、例えばＭＰＯコネクタである。
【００１９】
図１および図２に示されるように、光コネクタ１は、光コネクタ１の一端に位置する矩形状のフェルール２と、フェルール２を覆うインナーハウジング３と、インナーハウジング３の一部を覆う第一アウターハウジング４および第二アウターハウジング５と、インナーハウジング３に接続されたブーツ６とを外観構成として具備している。また、光コネクタ１の内部には、リアハウジング８およびフェルールバネ９等が設けられている。
【００２０】
以下では、説明の便宜上、「前」、「後」、「上」、「下」、「左」及び「右」と方向を定めて説明を行う。インナーハウジング３とブーツ６との接続方向を前後方向、すなわち、ブーツ６からインナーハウジング３を見た方向を前、その反対方向を後とする。また、フェルール２の前面の長手方向を左右方向、フェルール２の前面の短手方向を上下方向とする。これらの方向は単に説明の便宜上のものであって、本発明の範囲を限定するものではない。
【００２１】
フェルール２は、後方側に拡張部２ａを備えた箱状体である。フェルール２の内部には、前後方向に延びる複数のファイバ孔（不図示）が形成されており、各ファイバ孔には、ブーツ６後方から挿入されるファイバコード１０を構成する光ファイバがそれぞれ挿入される。フェルール２は、拡張部２ａにより、インナーハウジング３への収容時に前方への移動が規制される。また、フェルール２とリアハウジング８との間には、フェルール２を前方に付勢するフェルールバネ９が設けられている。
【００２２】
インナーハウジング３は、その上面側の外面において長手方向に沿った段部３ａを備えた段付き角筒状で形成されている。段部３ａは、極性識別のための極性キーとして機能するものである。インナーハウジング３の内部には、フェルール２、フェルールバネ９およびリアハウジング８が収容されている。インナーハウジング３の内面は段付き状となっており、当該段付き部にはフェルールバネ９によって前方に付勢されたフェルール２の拡張部２ａの前端が当接されている。インナーハウジング３は、その上面および下面の後方側に、リアハウジング８のラッチ８ｂ，８ｃ（後述）が係合される上下一対の開口部３ｂ，３ｃを有している。
【００２３】
第一アウターハウジング４は、筒状体であり、インナーハウジング３の外側において前後方向に移動自在に取り付けられている。第一アウターハウジング４の後部には、後方に所定の長さで延在し、第二アウターハウジング５に係合される４個の爪部４ａが設けられている。
【００２４】
第二アウターハウジング５は、第一アウターハウジング４とは別体の筒状体であって、第一アウターハウジング４の後方において第一アウターハウジング４に対して前後方向に移動自在に取り付けられている。第二アウターハウジング５には、インナーハウジング３の後部、リアハウジング８およびブーツ６の前端部が収容される。第二アウターハウジング５は、その前端から所定の長さで後方に延在し、第一アウターハウジング４の爪部４ａが係合される４個のスリット５ａを備えている。このスリット５ａに爪部４ａが係合することにより、第二アウターハウジング５と第一アウターハウジング４とが前後方向に所定距離以上離れないようになっている。また、第二アウターハウジング５は、ブーツ６の前端部が入り込む切り欠き部５ｂを備えている。切り欠き部５ｂは、例えば上下一対に設けられている。切り欠き部５ｂは第二アウターハウジング５の後端面から前方側に切り欠かれて形成されており、切り欠き部５ｂにおいてインナーハウジング３の上下一対の開口部３ｂ，３ｃが露出している。なお、第二アウターハウジング５の内面には、インナーハウジング３の後端に当接する段差部（不図示）が設けられており、第二アウターハウジング５を前方に移動させて段差部の前面がインナーハウジング３の後端に当接することにより、第二アウターハウジング５とインナーハウジング３はともに前進するように構成されている。
【００２５】
リアハウジング８は、インナーハウジング３の後側に挿入される部材であって、後方側に拡張部８ａを備えた筒状体である。リアハウジング８の上面および下面の後方には、外側に突出する一対のラッチ８ｂ，８ｃ（第一の凸部の一例）が設けられている。一対のラッチ８ｂ，８ｃは、インナーハウジング３の上下一対の開口部３ｂ，３ｃにそれぞれ対応する位置に配置されている。リアハウジング８は、拡張部８ａの前端がインナーハウジング３の後端に当接するとともに、ラッチ８ｂ，８ｃがインナーハウジング３の開口部３ｂ，３ｃとそれぞれ係合することで、インナーハウジング３と係合されている（係止状態となっている）。
【００２６】
ブーツ６は、ファイバコード１０に急激な曲げが生じないようにファイバコード１０を保護する部材であって、前後方向に延在する筒状を呈している。ブーツ６は、リアハウジング８の拡張部８ａを収容している。ブーツ６の後部側は、後方に向かうに従って徐々に縮径されている。
【００２７】
このような光コネクタ１は、第二アウターハウジング５を前後方向に移動させるだけで、光アダプタに対する光コネクタ１の着脱を行うことができるように構成されているものである。なお、光コネクタ１の光アダプタに対する着脱操作の詳細については、本願出願人が先に出願した特願２０１４−２２５３６３に記載されているため、ここではその詳細な説明は省略する。
【００２８】
以上のように、光コネクタ１は、ファイバコード１０の一端を保持・固定するフェルール２と、フェルール２を保持するインナーハウジング３と、インナーハウジング３の外周で前後に移動可能に配設される第一アウターハウジング４および第二アウターハウジング５と、ラッチ８ｂ，８ｃがインナーハウジング３の開口部３ｂ，３ｃに係合されることによりインナーハウジング３と係止されてフェルール２が前方に押圧された状態を保持するリアハウジング８と、を備えている。
【００２９】
以下、本実施形態に係る光コネクタ用分解治具について詳細に説明する。
図３は、光コネクタ用分解治具１００を示す斜視図である。図４は光コネクタ用分解治具１００の上面図である。図５は、光コネクタ用分解治具１００を構成するコネクタ受け部１１０の側面図である。
【００３０】
本実施形態に係る光コネクタ用分解治具１００は、一旦組み立てられた光コネクタ１からフェルール２等を取り外す際に用いられる。すなわち、光コネクタ用分解治具１００は、光コネクタ１を安定した状態で保持するとともに、インナーハウジング３とリアハウジング８の係止状態をワンタッチで解除することで光コネクタ１を分解するものである。
【００３１】
図３に示すように、光コネクタ用分解治具１００は、光コネクタ１を保持するコネクタ受け部１１０と、当該コネクタ受け部と結合された蓋部１２０と、コネクタ受け部１１０と蓋部１２０とを結合する紐状部材１３０とを備えている。コネクタ受け部１１０、蓋部１２０、紐状部材１３０からなる光コネクタ用分解治具１００は、例えば、ポリオキシメチレン（ポリアセタール）樹脂（ＰＯＭ）や、ポリアミド（ＰＡ）、ポリカーボネート（ＰＣ）等の樹脂材料が一体成形されることにより作製される。
【００３２】
コネクタ受け部１１０は、光コネクタ１のインナーハウジング３、第一および第二アウターハウジング４，５が載置される底面部１１１（第一の底面部）と、底面部１１１の幅方向における両端部から立ち上がる一対の側面部１１２とを有している。図４に示すように、底面部１１１は、光コネクタ１のインナーハウジング３、第一および第二アウターハウジング４，５に合わせた形状となるようにその前方部が後方部よりも狭い幅を有している。これにより、コネクタ受け部１１０に光コネクタ１を収容する際に光コネクタ１の位置決めを行うことができる。底面部１１１において、蓋部１２０との係合時に当該蓋部１２０と対向する面（図３の上側の面）１１１ａには、光コネクタ１のインナーハウジング３の上下一対の開口部３ｂ，３ｃの一方と係合可能な凸部１１３（第二の凸部の一例）が設けられている。
【００３３】
各側面部１１２は、図３および図５に示されるように、蓋部１２０と係合する第一壁部１１４と、当該第一壁部１１４よりも低い第二壁部１１５と、第一壁部１１４と第二壁部１１５とをつなぐ斜面状の斜壁部１１６とを備えている。第一壁部１１４の上面には凹部１１７が形成されている。光コネクタ１がコネクタ受け部１１０に収容される際には、底面部１１１と第一壁部１１４とで第二アウターハウジング５を収容し、底面部１１１と斜壁部１１６とで第一アウターハウジング４を収容し、底面部１１１と第二壁部１１５とでインナーハウジング３の露出部を収容することとなる。インナーハウジング３の露出部が収容される第二壁部１１５が第一壁部１１４よりも低くなっているため、光コネクタ１を安定して保持できる一方、光コネクタ１からフェルール２等を取り外した後でコネクタ受け部１１０からハウジング３〜５を容易に取り外すことができる。また、コネクタ受け部１１０の前端部において一対の第二壁部１１５の間には、インナーハウジング３の外面に形成された段部３ａを収容可能な切り欠き部１１８が形成されている。これにより、コネクタ受け部１１０は、光コネクタ１が上下いずれの向きであっても適切に収容することができる。
【００３４】
蓋部１２０は、コネクタ受け部１１０との係合時に当該コネクタ受け部１１０の底面部１１１と対向する底面部１２１（第二の底面部）と、底面部１２１の幅方向における両端部から立ち上がる一対の側面部１２２とを有している。底面部１２１において、コネクタ受け部１１０の底面部１１１と対向する面（図３の上側の面）１２１ａには、光コネクタ１のインナーハウジング３の上下一対の開口部３ｂ，３ｃの他方と係合可能な凸部１２３（第三の凸部の一例）が設けられている。各側面部１２２は、コネクタ受け部１１０の凹部１１７と係合可能な凸状に形成されている。底面部１２１の面１２１ａには、面１２１ａから遠ざかるにつれて各側面部１２２に向けて徐々にその幅が狭くなる一対の斜面部１２４が設けられている。
【００３５】
紐状部材１３０は、コネクタ受け部１１０と蓋部１２０とを結合する屈曲性を備えた細長状の部材である。これにより、コネクタ受け部１１０と蓋部１２０とは、凸部１１３と凸部１２３とが対向するように折りたたみ可能となっている。
【００３６】
図６〜図９は、本実施形態の光コネクタ用分解治具１００を用いて、光コネクタ１からフェルール２等を取り外す工程を示す図である。
まず、図６（ａ）に示すように、光コネクタ用分解治具１００のコネクタ受け部１１０に光コネクタ１を収容する。コネクタ受け部１１０の内面部は光コネクタ１（ハウジング３〜５）の外形とほぼ同じであるため、光コネクタ１はコネクタ受け部１１０により安定した状態で保持される。
【００３７】
次に、図６（ｂ）、図７および図８（ａ），（ｂ）に示すように、紐状部材１３０を屈曲させて、蓋部１２０をコネクタ受け部１１０と対向させて光コネクタ１を挟み込むようにする。このとき、凸状に形成された蓋部１２０の側面部１２２が、コネクタ受け部１１０の凹部１１７と係合されるとともに、図９（ａ），（ｂ）に示すように、蓋部１２０に形成された一対の斜面部１２４により、光コネクタ１の幅方向の中心がコネクタ受け部１１０および蓋部１２０の幅方向の中心と合うように光コネクタ１が中心側に寄せられる。そして、光コネクタ１のインナーハウジング３の一方の開口部３ｃにコネクタ受け部１１０の凸部１１３が係合されるとともに、インナーハウジング３の他方の開口部３ｂに蓋部１２０の凸部１２３が係合される。これにより、インナーハウジング３の開口部３ｂ，３ｃに係合されていたリアハウジング８のラッチ８ｂ，８ｃが押し戻され、ラッチ８ｂ，８ｃと開口部３ｂ，３ｃとの係止状態が解除される（図９（ａ），（ｂ）参照）。
【００３８】
その後、ファイバコード１０あるいはファイバコード１０が挿通されたブーツ６を後方に引き抜くことで、フェルール２等をインナーハウジング３から取り外すことができる。フェルール２等をインナーハウジング３から取り外した後は、必要に応じて、フェルール２の先端面を再研磨したり、フェルール２の向きを変えたりしてから、再びフェルール２をインナーハウジング３へ収容することとなる。
【００３９】
以上説明したように、本実施形態に係る光コネクタ用分解治具１００は、コネクタ受け部１１０と、コネクタ受け部１１０との間で光コネクタ１を挟み込むための蓋部１２０とを備え、コネクタ受け部１１０は、光コネクタ１のハウジング３〜５が載置される底面部１１１を有し、底面部１１１において蓋部１２０と対向する面１１１ａに、インナーハウジング３の開口部３ｂ，３ｃの一方に係合可能な凸部１１３が設けられ、蓋部１２０においてコネクタ受け部１１０と対向する面１２１ａに、インナーハウジング３の開口部３ｂ，３ｃの他方に係合可能な凸部１２３が設けられ、コネクタ受け部１１０と蓋部１２０とは、凸部１１３と凸部１２３とが対向すべく折りたたみ可能に結合されている。これにより、コネクタ受け部１１０に光コネクタ１を載置してから、コネクタ受け部１１０と蓋部１２０とで光コネクタ１を挟み込むように分解治具１００を折りたたむことで、インナーハウジング３とリアハウジング８の係止状態をワンタッチで解除し、フェルール２等をインナーハウジング３から容易に取り外すことができる。また、光コネクタ用分解治具１００は、例えば樹脂材料により一体成形されているため低コストで作製可能であり、持ち運びしやすい。このように、本実施形態に係る光コネクタ用分解治具１００は、光接続工事等が行われる現場での作業性の向上とコスト削減を達成することができる。
【００４０】
また、コネクタ受け部１１０と蓋部１２０とは、紐状部材１３０で結合されているため、コネクタ受け部１１０と蓋部１２０とを容易に折りたたむことができ、取扱い性に非常に優れている。
【００４１】
また、コネクタ受け部１１０は凹部１１７を備えた側面部１１２を有し、蓋部１２０は凸状の側面部１２２を有し、光コネクタ用分解治具１００の折りたたみ時にはコネクタ受け部１１０の凹部１１７と蓋部１２０の側面部１２２とが係合される。これにより、コネクタ受け部１１０に対する蓋部１２０の前後方向の位置決めを容易に行うことができる。
【００４２】
また、蓋部１２０の底面１２１ａには、当該底面１２１ａから遠ざかるにつれて側面部１２２に向けて徐々にその幅が狭くなる一対の斜面部１２４が設けられている。これにより、光コネクタ１をコネクタ受け部１１０と蓋部１２０とで挟み込むだけで、光コネクタ用分解治具１００に対する光コネクタ１の位置決めを容易に行うことができる。
【００４３】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００４４】
上記実施の形態においては、インナーハウジング３の上面および下面に開口部３ｂ，３ｃが設けられ、当該開口部３ｂ，３ｃに係合可能なラッチ８ｂ，８ｃがリアハウジング８の上面および下面に設けられているが、当該開口部およびラッチの配置はこの例に限られない。例えば、インナーハウジングの側面およびリアハウジングの側面に開口部およびラッチがそれぞれ設けられていても良い。この場合、光コネクタ用分解治具は、コネクタ受け部および蓋部の底面部がインナーハウジングおよび第一アウターハウジング、第二アウターハウジングの各側面と当接する形状となるように成型される。
【００４５】
また、上記実施の形態においては、コネクタ受け部１１０、蓋部１２０、紐状部材１３０からなる光コネクタ用分解治具１００は、樹脂材料が一体成形されることにより作製されるが、この例に限られない。例えば、コネクタ受け部と蓋部とを別体で作製し、これらをバネなどの弾性体により折りたたみ可能に結合してもよい。
【００４６】
また、上記実施の形態においては、光コネクタ１は、第一アウターハウジング４と、第一アウターハウジング４と別体で設けられた第二アウターハウジング５とを備えているが、この例に限られない。例えば、図１０に示すように、光コネクタ２０は、インナーハウジング３の周囲に配置される単一のアウターハウジング２４を備えていても良い。アウターハウジング２４は、その後端側に上下一対の切欠き部２４ｂを備えており、当該切欠き部２４ｂからインナーハウジング３の開口部３ｂが露出している。この例においても、コネクタ受け部１１０に光コネクタ２０を載置して、コネクタ受け部１１０と蓋部１２０とで光コネクタ２０を挟み込むように分解治具１００を折りたたむことで、インナーハウジング３の開口部３ｂとリアハウジング８のラッチ８ｂとの係止状態をワンタッチで解除し、フェルール２等をインナーハウジング３から容易に取り外すことができる。
【符号の説明】
【００４７】
１：光コネクタ
２：フェルール
３：インナーハウジング
３ａ：段部
３ｂ，３ｃ：開口部
４：第一アウターハウジング
５：第二アウターハウジング
５ｂ：切り欠き部
６：ブーツ
８：リアハウジング
８ｂ，８ｃ：ラッチ（第一の凸部）
９：フェルールバネ
１００：光コネクタ用分解治具
１１０：コネクタ受け部
１１１：底面部
１１２：側面部
１１３：凸部（第二の凸部）
１１４：第一壁部
１１５：第二壁部
１１６：斜壁部
１１７：凹部
１２０：蓋部
１２１：底面部
１２２：側面部
１２３：凸部（第三の凸部）
１２４：斜面部
１３０：紐状部材
【図１】
2017116813.tif 000003
【図２】
2017116813.tif 000004
【図３】
2017116813.tif 000005
【図４】
2017116813.tif 000006
【図５】
2017116813.tif 000007
【図６】
2017116813.tif 000008
【図７】
2017116813.tif 000009
【図８】
2017116813.tif 000010
【図９】
2017116813.tif 000011
【図１０】
2017116813.tif 000012